(57)【特許請求の範囲】
【請求項１】
開口部を有する荷箱と、該開口部を開閉することができるように該荷箱に連結したゲートとを係合させて、該開口部を閉塞状態で固定することができるゲート固定装置において、雄ねじ部を有する軸部と、該軸部の一方の端部に連設され、該軸部の径方向に互いに対向して突出させた第１突出部及び第２突出部を備える係合部とを有する連結具を設け、該雄ねじ部に螺合する雌ねじ部を有する回動操作部を設け、該ゲートに軸支具を設け、該荷箱に係止具を設け、該軸支具は該連結具の係合部を該軸支具よりも該係止具側に位置させて該連結具の軸部の該回動操作部より該係止具側の部位を回動自在且つ該連結具を該係止具側に前進させた押出位置と該軸支具側に後退させた退避位置との間を前後移動自在に支持し、該係止具は互いに対向する第１係止板及び第２係止板を備え、該第１係止板及び該第２係止板の間に該係合部の挿通空間が形成され、該挿通空間の幅寸法を該係合部の該第１突出部及び該第２突出部が形成された長手方向の寸法よりも狭く形成し、該第１係止板及び該第２係止板はそれぞれ該連結具が後退する方向の移動を規制する掛止部と、該連結具の係合部の回動を規制すると同時に該係合部を該掛止部に案内する回動規制案内部とを有することを特徴とするゲート固定装置。
【請求項２】
前記第１及び第２係止板にそれぞれ前記軸支具と反対側の端部から切り欠いた上辺部と中辺部と下辺部とからなる略コの字状の切り欠き部を形成し、前記第１及び第２係止板のそれぞれの切り欠き部の中辺部を前記掛止部とすると共に、前記第１係止板の切り欠き部の上辺部及び前記第２係止板の切り欠き部の下辺部を前記回動規制部としたことを特徴とする請求項１記載のゲート固定装置。
【請求項３】
前記挿入空間に前記係合部が挿脱可能な挿通孔を有する脱出防止板を設け、該挿通孔を該挿入空間側から見た前記係合部の形状と略相似形状に形成することを特徴とする請求項１又は２記載のゲート固定装置。
【発明の詳細な説明】
【技術分野】
【０００１】
本発明は、開口部を有する荷箱と、開口部を開閉することができるように荷箱に連結したゲートとを係合させて、開口部を閉塞状態に固定することができるゲート固定装置に関する。
【背景技術】
【０００２】
従来のゲート固定装置の一例として、図９に示すものがある（例えば、特許文献１参照）。このゲート固定装置１は、荷箱７の後端に設けられたフック部材２と、一端に該フック部材２に係合可能な係合部３を有していると共に、他端側に雄ねじを有する第１部材４と、この第１部材４を係合可能位置と退避位置との間で揺動自在に支持する支持部材５と、第１部材４の雄ねじ部に螺合する雌ねじ部を有する第２部材６とによって構成されている。
【０００３】
このゲート固定装置１によると、フック部材２と、支持部材５に揺動自在に支持された第１部材４とが設けられているので、第１部材４の係合部３がフック部材２に対して係合する係合可能位置にこの係合部３を位置させることができる。そして、第２部材６を所定方向に回動操作することによって、第１部材４の係合部３をフック部材２に係合固定させることができる。
【特許文献１】特開平９−１５０６６３号公報
【発明の開示】
【発明が解決しようとする課題】
【０００４】
しかし、図９に示す従来のゲート固定装置１では、荷箱７とゲート８とを係合させるには、第１部材４の係合部３が係合可能位置に位置するよう位置合わせ作業をしながら、第２部材６の回動操作を行わなければならず、作業が繁雑かつ複雑であった。また、位置合わせが不十分であると、フック部材２に対して第１部材４が不完全に係合することがある。
【０００５】
本発明は、上記のような課題を解決するためになされたものであり、荷箱に対して前進させた押出位置に位置する係合部の掛止部に対する位置合わせ作業を行うことなく、荷箱とゲートとを係合させて、ゲートの開口部を閉塞状態で固定することができるゲート固定装置を提供することを目的としている。
【課題を解決するための手段】
【０００６】
上記課題を解決するための本発明に係るゲート固定装置は、開口部を有する荷箱と、開口部を開閉することができるように荷箱に連結したゲートとを係合させて、開口部を閉塞状態で固定することができるゲート固定装置において、雄ねじ部を有する軸部と、軸部の一方の端部に連設され、軸部の径方向に互いに対向して突出させた第１突出部及び第２突出部を備える係合部とを有する連結具を設け、雄ねじ部に螺合する雌ねじ部を有する回動操作部を設け、ゲートに軸支具を設け、荷箱に係止具を設け、軸支具は連結具の係合部を軸支具よりも係止具側に位置させて連結具の軸部の回動操作部より係止具側の部位を回動自在且つ連結具を係止具側に対して前進させた押出位置と軸支具側に後退させた退避位置との間を前後移動自在に支持し、係止具は互いに対向する第１係止板及び第２係止板を備え、第１係止板及び第２係止板の間に係合部の挿通空間が形成され、挿通空間の幅寸法を係合部の第１突出部及び第２突出部が形成された長手方向の寸法よりも狭く形成し、第１係止板及び第２係止板はそれぞれ連結具が後退する方向の移動を規制する掛止部と、連結具の係合部の回動を規制すると同時に係合部を掛止部に案内する回動規制案内部とを有することを特徴とするものである。
【０００７】
この発明に係るゲート固定装置によると、係止具に対する係合部の位置合わせ作業を行うことなく、荷箱とゲートとを係合させて、荷箱の開口部を閉塞状態に固定することができる。つまり、係止具に対する係合部の位置合わせが、回動操作部を回動させることによって行われるので、荷箱とゲートとを簡単な手順で係合することができ、またこれによって、誤った操作が行われることを防ぐことができる。更に、不十分な位置合わせによって、連結具と係止具とが不完全に係合することを防ぐことができる。
【０００９】
また、連結具と係止具とを、第１突出部と第１掛止部、及び第２突出部と第２掛止部の２ヶ所で係合させることができ、荷箱とゲートとをより確実に係合することができる。更に、連結具を押出位置で回動させることによって、第１突出部及び第２突出部をそれぞれ第１掛止部及び第２掛止部に係合することができる。
【００１０】
また、この発明に係るゲート固定装置において、第１及び第２係止板にそれぞれ軸支具と反対側の端部から切り欠いた上辺部と中辺部と下辺部とからなる略コの字状の切り欠き部を形成し、第１及び第２係止板のそれぞれの切り欠き部の中辺部を掛止部とすると共に、第１係止板の切り欠き部の上辺部及び第２係止板の切り欠き部の下辺部を回動規制部とすることによって、係止具の製造が容易となり、製造コストの低減に寄与する。
【００１１】
そして、この発明に係るゲート固定装置において、挿入空間に係合部が挿脱可能な挿通孔を有する脱出防止板を設け、挿通孔は挿入空間側から見た係合部の形状と略相似形状に形成するのが好ましい。
【００１２】
このようにすると、係合部の回動位置を所定の回動位置に合わせなければ、係合部を挿通孔に対して挿脱することができないようにすることができる。これによって、係合部と掛止部との係合が不意に外れた場合、係合部は脱出防止板に当接し、荷箱とゲートとの係合が外れることを防ぐことができる。
【発明の効果】
【００１３】
本発明によれば、荷箱に対して前進させた押出位置に位置する係合部の掛止部に対する位置合わせ作業を行うことなく、荷箱とゲートとを係合させて、ゲートの開口部を閉塞状態で固定することができるゲート固定装置を提供することができる。
【発明を実施するための最良の形態】
【００１４】
以下、本願発明に係るゲート固定装置の実施形態を、図１〜図８を参照して説明する。
【００１５】
このゲート固定装置１０は、図１に示すように、コンテナ１１の荷箱１２とゲート１３との固定装置に適用されている。コンテナ１１は、後部に開口部１５を有する荷箱１２と、この開口部１５を開閉することができるように、開口部１５を形成する開口縁部の上部とヒンジ１４によって回動可能に連結して設けられたゲート１３と、開口部１５を形成する開口縁部の下部とゲートの下縁部とを係合するゲート固定装置１０とを備えている。
【００１６】
図２はコンテナに設けられているゲート固定装置１０を示す要部拡大図である。
【００１７】
図２に示すように、ゲート固定装置１０は、連結具２０と、ナット部２１（回動操作部）と、ゲート１３の下縁部に設けられた軸支具２２と、荷箱１２の開口部１５を形成する開口縁部の下部に設けられた係止具２３とを備えている。
【００１８】
連結具２０は、全体が略Ｔ字状に形成され、それぞれが直線状体で形成され互いに直交して設けられている、雄ねじ部２５を有する軸部２６と、この軸部２６の基端部に連設された係合部２７とを有する。この係合部２７は、軸部２６の径方向に互いに対向して突出させた第１突出部２８と第２突出部２９とを備えている。そして、軸部２６は、図３及び図５からも分かるように、係合部２７を係止具２３側に前進させて、この係合部２７を後述する第１掛止部４９及び第２掛止部５０よりも軸支具２２と反対側に位置させた押出位置と、係合部２７を軸支具２２側に後退させて、この係合部２７を後述する案内溝４２に係合させた退避位置との間を前後移動させることができるような長さに形成されている。
【００１９】
ナット部２１は、軸部２６の雄ねじ部２５と螺合している。
【００２０】
図３は、軸支具２２の斜視図である。この図に示すように、軸支具２２は、横置きした板体の左部と右部を同一方向に９０度折曲した略コの字状のような外形状をしており、中辺部３６の一端に左辺部３７が、中辺部３６の他端に右辺部３８が、それぞれ中辺部３６に対して同一方向に９０度折曲された状態で連設される。中辺部３６が連設されていない左辺部３７の他端と右辺部３８の他端との間には開口部３９が形成されている。そして、軸支具２２は、開口部３９を係止具２３側に位置させて、ゲート１３の下縁部に取り付けられている（図２参照）。そして、中辺部３６には、軸部２６の径と略同一の径を有する軸支孔４０が形成され、この軸支孔４０に、係合部２７を係止具２３側に位置させた連結具２０が挿通されている（図２参照）。そして、ナット部２１は、軸支孔４０よりも軸部２６の先端部３０側の雄ねじ部２５に螺合されている。したがって、軸支孔４０は、軸部２６を回動自在且つ連結具２０を係止具２３側に前進させた押出位置と軸支具２２側に後退させた退避位置との間を前後移動自在に支持している。そして、左辺部３７と右辺部３８との間にガイド板４１が水平方向に架け渡して設けられており、このガイド板４１は、軸支孔４０の上端よりも上側に設けられている。そして、このガイド板４１には、開口部３９側の端部から略Ｕ字状に切り欠かれた案内溝４２が形成されており、案内溝４２は、第１突出部２８及び第２突出部２９が形成されている長手方向を上下方向に位置させた連結具２０の第１突出部２８及び第２突出部２９を係合することができる形状に形成されている（図２参照）。
【００２１】
図４は、係止具２３の斜視図である。この図に示すように、係止具２３は、縦長の互いに平行（対向）する第１係止板４４と第２係止板４５と、これら係止板４４、４５の一側端部に架け渡して設けられた、脱出防止板４６とを備えている。そして、係止具２３は、脱出防止板４６を軸支具２２側に位置させて、荷箱１２の開口部１５の開口縁部の下部に取り付けられている（図２参照）。
【００２２】
そして、第１係止板４４と第２係止板４５との間には、係合部２７の挿通空間５３が形成されている。この挿通空間５３の幅寸法Ｄは、係合部２７の第１突出部２８及び第２突出部２９が形成されている長手方向の寸法ｄよりも狭く形成されており（図６（ｂ）参照）、連結具２０を押出位置で回動させることによって、第１突出部２８及び第２突出部２９をそれぞれ後述する第１係止板４４の第１掛止部４９及び第２係止板４５の第２掛止部５０に係合することができるようになっている。
【００２３】
第１係止板４４及び第２係止板４５は、それぞれ軸支具２２と反対側の端部から切り欠いた上辺部と中辺部と下辺部とからなる略コの字状の第１切り欠き部４７及び第２切り欠き部４８が形成されており、これら第１切り欠き部４７及び第２切り欠き部４８のそれぞれの中辺部は、それぞれ第１掛止部４９及び第２掛止部５０を形成していると共に、第１切り欠き部４７の上辺部及び第２切り欠き部４８の下辺部は、それぞれ第１回動規制案内部５１及び第２回動規制案内部５２を形成している。
【００２４】
第１回動規制案内部５１及び第２回動規制案内部５２は、それぞれが連結具２０を押出位置で回動させることによって、第１突出部２８を第１回動規制案内部５１に当接させると同時に第２突出部２９を第２回動規制案内部５２に当接させることができる位置に形成されている。しかも、第１回動規制案内部５１の下方に第２回動規制案内部５２が位置するように形成されていると共に、この第１回動規制案内部５１と第２回動規制案内部５２との間に形成される空間の高さ方向の幅寸法Ｌと係合部２７の第１突出部２８及び第２突出部２９の径とが略同一に形成されており、連結具２０を押出位置で所定方向に略９０度回動させることによって、第１突出部２８を第１回動規制案内部５１に当接させると同時に第２突出部２９を第２回動規制案内部５２に当接させることができるようになっている。
【００２５】
そして、第１切り欠き部４７の下辺部及び第２切り欠き部４８の上辺部は、それぞれ押出位置に位置させた係合部２７の回動軌跡の外側に位置するように形成されており、これら第１切り欠き部４７の下辺部及び第２切り欠き部４８の上辺部が押出位置に位置させた係合部２７の回動の妨げにならないようになっている。
【００２６】
そして、第１係止板４４の第１切り欠き部４７の上部は、第２反転規制部５６を形成すると共に、第２係止板４５の第２切り欠き部４８の下部は、第１反転規制部５５を形成しており、連結具２０の回動を規制することができるようになっている。
【００２７】
そして、脱出防止板４６には、上下方向に長孔状の挿通孔５４が形成されており、挿通空間５３側から見ると、この挿通孔５４の形状は、係合部２７の形状と略相似形状に形成されていると共に、挿通孔５４の大きさは、係合部２７の大きさよりも多少大きく形成されており、係合部２７を所定の回動位置に合わせることによって、係合部２７を挿通孔５４に対して挿脱することができるようになっている。
【００２８】
次に、上記のように構成されたゲート固定装置１０の作用を、図２及び図５乃至図７を参照して説明する。今、図２に示すように、連結具２０の係合部２７が軸支具２２側に後退させた退避位置に位置しており、第１突出部２８は、案内溝４２と係合しているとする。
【００２９】
荷箱１２とゲート１３とを係合するときは、図５に示すように、ナット部２１を所定の回動方向（例えば反時計方向）へ回動させて、ナット部２１を軸部２６の先端部３０方向へ移動させる。そして、連結具２０の回動位置を保ちながら、連結具２０を係止具２３に対して前進させて、係合部２７を挿通孔５４に挿通すると共に、第１掛止部４９及び第２掛止部５０よりも軸支具２２と反対側に位置させた押出位置に移動させる。
【００３０】
また、ナット部２１を軸部２６の先端部３０方向へ十分に移動させていないため、連結具２０を係止具２３に対して前進させても、ナット部２１が軸支具２２の中辺部３６と当接して、連結具２０を押出位置に移動させることができないときは、係合部２７を挿通孔５４に挿通させた状態において、更に係合部２７を係止具２３側に前進させる回動方向（例えば反時計方向）へナット部２１を回動させると、連結具２０は、ナット部２１と連動して、ナット部２１と同じ回動方向へ回動し、第１突出部２８及び第２突出部２９は、それぞれ第２係止板４５の第１反転規制部５５及び第１係止板４４の第２反転規制部５６に当接する（図４参照）。これによって、連結具２０の回動を規制することができるので、ナット部２１を回動させることによって、ナット部２１を軸部２６の先端部３０方向へ移動させて、係合部２７を押出位置に移動させることができる。
【００３１】
そして、図６（ａ）に示すように、連結具２０を軸支具２２側に後退させる回動方向（例えば時計方向）へナット部２１を回動させる。これによって、連結具２０はナット部２１と連動して、ナット部２１と同じ回動方向へ回動する。そして、図６（ｂ）に示すように、連結具２０が略９０度回転することによって、係合部２７の第１突出部２８及び第２突出部２９は、それぞれ第１係止板４４の第１回動規制案内部５１及び第２係止板４５の第２回動規制案内部５２と当接する。これによって、連結具２０の回動を規制することができる。
【００３２】
そして、図７に示すように、連結具２０を軸支具２２側に後退させる回動方向（例えば時計方向）へナット部２１を更に回動させると、係合部２７の第１突出部２８及び第２突出部２９は、それぞれ第１回動規制案内部５１及び第２回動規制案内部５２上を摺動し、それぞれ第１掛止部４９及び第２掛止部５０へ案内される。そして、第１突出部２８及び第２突出部２９は、それぞれ第１掛止部４９及び第２掛止部５０と係合する。このようにして、荷箱１２に設けられている係止具２３とゲート１３に設けられている軸支具２２とを連結具２０によって係合することができ、荷箱１２とゲート１３とを係合させて、開口部１５を閉塞状態に固定することができる。
【００３３】
次に、係止具２３と軸支具２２との係合を解除する手順を図７及び図２を参照して説明する。
【００３４】
今、図７に示すように、係止具２３と軸支具２２とが連結具２０によって係合しているとする。まず、連結具２０を係止具２３側に前進させる回動方向（例えば反時計方向）へナット部２１を回動させる。これによって、連結具２０はナット部２１と連動して、ナット部２１と同じ回動方向へ回動する。これによって、第１突出部２８と第１掛止部４９、及び第２突出部２９と第２掛止部５０との係合が解除される。そして、図２に示すように、係合部２７を挿通孔５４に挿通し、軸支具２２側に位置させた退避位置に後退させると共に、第１突出部２８又は第２突出部２９のいずれか一方と案内溝４２とを係合させる。そして、図２に示すように、ナット部２１を所定の回動方向（例えば時計方向）へ回動させて、軸支具２２の中辺部３６と当接する位置へ移動させる。このようにして、係止具２３と軸支具２２との係合を解除することができる。
【００３５】
このように、このゲート固定装置１０によると、押出位置に位置する連結具２０を後退する方向に移動させるナット部２１の回動操作によりナット部２１と連動して回動する係合部２７の回動を規制すると同時に、係合部２７の第１突出部２８及び第２突出部２９をそれぞれ第１掛止部４９及び第２掛止部５０に案内する第１回動規制案内部５１及び第２回動規制案内部５２が形成されている構成としたので、第１掛止部４９及び第２掛止部５０に対する係合部２７の第１突出部２８及び第２突出部２９の位置合わせ作業を行うことなく、荷箱１２とゲート１３とを係合させて、荷箱１２の開口部１５を閉塞状態に固定することができる。
【００３６】
つまり、第１掛止部４９及び第２掛止部５０に対する係合部２７の第１突出部２８及び第２突出部２９の位置合わせが、係合部２７を軸支具２２側に後退させる回動方向（例えば時計方向）へナット部２１を回動させることによって、行われるので、荷箱１２とゲート１３とを簡単な手順で係合することができると共に、誤った操作が行われることを防ぐことができる。また、不十分な位置合わせによって、連結具２０と係止具２３とが不完全に係合することを防ぐことができる。
【００３７】
また、連結具２０は、第１突出部２８及び第２突出部２９を備え、係止具２３は、第１掛止部４９及び第２掛止部５０を備えているので、連結具２０と係止具２３とを第１突出部２８と第１掛止部４９及び第２突出部２９と第２掛止部５０の２ヶ所で係合させることができ、荷箱１２とゲート１３とをより確実に係合することができる。
【００３８】
更に、第１係止板４４及び第２係止板４５にそれぞれ第１切り欠き部４７及び第２切り欠き部４８を形成し、これらの切り欠き部にそれぞれ第１掛止部４９及び第２掛止部５０、並びに第１回動規制案内部５１及び第２回動規制案内部５２を形成したので、係止具２３の製造が容易となり、製造コストの低減に寄与する。
【００３９】
更に、挿通空間５３側から見ると、この挿通孔５４の形状は、係合部２７の形状と略相似形状に形成されていると共に、挿通孔５４の大きさは係合部２７の大きさよりも多少大きく形成したので、係合部２７を所定の回動位置に合わせることによって、係合部２７を挿通孔５４に対して挿脱することができる。よって、係合部２７の第１突出部２８と第１掛止部４９及び第２突出部２９と第２掛止部５０との係合が不意に外れた場合、係合部２７は脱出防止板４６に当接し、荷箱１２とゲート１３との係合が外れることを防ぐことができる。
【００４０】
そして、軸支具２２に案内溝４２を有するガイド板４１を設けたので、連結具２０が退避位置に位置した状態において、ナット部２１を軸部２６の先端部３０方向へ移動させるときは、第１突出部２８又は第２突出部２９は、案内溝４２に係止され、ナット部２１の回動操作によって、連結具２０が連動して回動しない。よって、連結具２０を支持せず、ナット部２１を回動させるだけで、ナット部２１を軸部２６の先端部３０方向へ移動させることができる。また、ガイド板４１によって、連結具２０の長手方向が上下方向に位置するように連結具２０の回動位置が位置決めされるので、この回動位置を保ちながら、連結具２０を係止具２３に対して前進させることによって、係合部２７を上下方向に長孔状に形成されている挿通孔５４に挿通することができる。
【００４１】
ただし、上記実施形態においては、図２に示すように、連結具２０には、第１突出部２８、第２突出部２９の２つの突出部と設けると共に、係止具２３に同数の回動規制案内部及び掛止部を設けた構成としたが、これに代えて、連結具２０に、いずれか一方の突出部、回動規制案内部及び掛止部を設けた構成としてもよいし、あるいは３つ以上の突出部、回動規制案内部及び掛止部を設けた構成としてもよい。
【００４２】
そして、上記実施形態においては、係止具２３の第１係止板４４及び第２係止板４５にそれぞれ略コの字状の第１切り欠き部４７及び第２切り欠き部４８を形成した構成としたが、これに限られるものではない。例えば、図８に示すように、第１係止板６１及び第２係止板６２にそれぞれ略四角形の第１係止孔６３及び第２係止孔６４を形成した係止具６０としてもよい。
【産業上の利用可能性】
【００４３】
本発明に係るゲート固定装置は、荷箱に対して前進させた押出位置に位置する係合部の掛止部に対する位置合わせ作業を行うことなく、荷箱とゲートとを係合させて、ゲートの開口部を閉塞状態で固定するのに適しており、コンテナのゲートの固定などに広汎に利用できる。
【図面の簡単な説明】
【００４４】
【図１】この発明に係るゲート固定装置を備えるコンテナの一実施形態にかかる正面図である。
【図２】同実施形態に係るゲート固定装置を備えるコンテナの要部拡大図である。
【図３】同実施形態に係る軸支具を示す斜視図である。
【図４】同実施形態に係る係止具を示す斜視図である。
【図５】同実施形態に係るゲート固定装置を備えるコンテナの使用方法を説明するための拡大図であり、連結具を押出位置に位置させた正面図である。
【図６】同実施形態に係るゲート固定装置を備えるコンテナの使用方法を説明するための拡大図であり、（ａ）は押出位置において連結具を回動させた正面図、（ｂ）は押出位置において連結具を回動させた状態の連結具及び係止具の斜視図である。
【図７】同実施形態に係るゲート固定装置を備えるコンテナの使用方法を説明するための拡大図であり、連結具と係止具とを係合させた状態の正面図である。
【図８】同発明に係る係止具の他の実施形態を示す斜視図である。
【図９】従来例のゲート固定装置を備えるコンテナの正面図である
【符号の説明】
【００４５】
１０  ゲート固定装置
１１  コンテナ
１２  荷箱
１３  ゲート
２０  連結具
２１  ナット部
２２  軸支具
２３  係止具
２５  雄ねじ部
２６  軸部
２７  係合部
４９  第１掛止部
５０  第２掛止部
５１  第１回動規制案内部
５２  第２回動規制案内部
【図１】
0005135026.tif 000002
【図２】
0005135026.tif 000003
【図３】
0005135026.tif 000004
【図４】
0005135026.tif 000005
【図５】
0005135026.tif 000006
【図６】
0005135026.tif 000007
【図７】
0005135026.tif 000008
【図８】
0005135026.tif 000009
【図９】
0005135026.tif 000010